(57)【要約】      （修正有）【課題】フィルター材交換可能マスクを提供する。【解決手段】フィルター材交換可能マスクは複数個の第一面透け孔１３により形成されたマスク板１０を含み、前側面１１と裏側面を備え、裏側面は呼吸スペースを形成し；固定蓋２０は、複数個の第二面透け孔２１により形成され；及び、保持構造は、固定蓋をマスク板の前側面に維持させており、フィルター材４０を固定蓋とマスク板の間に挟みさせ、その第一面透け孔をその第二面透け孔に照準させ、その第一面透け孔とその第二面透け孔をマスク板の呼吸スペースに繋がらせている。【選択図】図６
0003232648.tif 000002
【実用新案登録請求の範囲】
【請求項１】
フィルター材置換可能マスクは、以下を含む、
前側面と裏側面を備えた、マスク板、前記裏側面は呼吸スペースを形成し、前記前側面は挟み面を含み、前記挟み面は複数個の第一面透け孔を形成し、その第一面透け孔は前記呼吸スペースと繋がっている、
複数個の第二面透け孔で形成されている固定蓋、及び
保持構造は、前記マスク板と前記固定蓋の間を介して、前記固定蓋を前記マスク板の前記前側面に保持し、前記固定蓋が前記マスク板の前記挟み面と共にフィルター材を挟めるようにし、その第二面透け孔をその第一面透け孔を通して前記マスク板の前記呼吸スペースと繋がっていることを特徴とする、フィルター材置換可能マスク。
【請求項２】
前記前側面は前記挟み面の範囲外で少なくとも一つの通気性通路を形成しており、前記通気性通路は前記呼吸スペースと繋がっており、前記通気性通路内は一方方向呼気に制限されていることを特徴とする、請求項１に記載のフィルター材置換可能マスク。
【請求項３】
前記マスク板の前記裏側面はリングリムを備えており、前記リングリムは湾曲接触面を形成しており、前記湾曲接触面は面部皮膚に接触するのに適していることを特徴とする、請求項１に記載のフィルター材置換可能マスク。
【請求項４】
前記リングリムは上側面縁と前記上側面縁と相対した下側面縁を含み、前記上側面縁の輪郭は前記面部の鼻梁箇所に適しており、 前記下側面縁は曲線輪郭を形成し前記面部の顎箇所に適することを特徴とする、請求項3に記載のフィルター材置換可能マスク。
【請求項５】
前記リングリムは左側面縁と前記左側面縁と相対した右側面縁を含み、前記左、右側面縁は其々外部に向かってイヤーピースを伸ばしており、 イヤーピース毎に少なくとも一つの通し孔が開設されており、前記通し孔はワイヤーと結合するのに使用されることを特徴とする、請求項3に記載のフィルター材置換可能マスク。
【請求項６】
前記保持構造は前記挟み面に隣接することを特徴とする、請求項1に記載のフィルター材置換可能マスク。
【請求項７】
前記保持構造は第一環状側壁と第二環状側壁を含み、前記第一環状側壁は前記挟み面を囲っており、前記第二環状側壁は前記固定蓋の周囲を囲っており、前記第一環状側壁と前記第二環状側壁は干渉タイトフィット方式或いは磁気吸着法により前記固定蓋を前記マスク板の前記前側面に固定保持させることを特徴とする、請求項1に記載のフィルター材置換可能マスク。
【請求項８】
前記第一環状側壁と前記第二環状側壁の間では接触面或いはフランジ構造或いは組合構造或いはスナップ構造により前記干渉タイトフィット方式を実現させていることを特徴とする、請求項７に記載のフィルター材置換可能マスク。
【請求項９】
前記前側面は前記挟み面の範囲外で少なくとも一つの通気性通路を形成し、前記通気性通路は前記呼吸スペースと繋がっており、前記通気性通路は一方方向呼気バルブを覆い、前記一方方向呼気バルブは前記呼吸スペースが外部へ一方方向排気するのを維持していることを特徴とする、請求項７に記載のフィルター材置換可能マスク。
【請求項１０】
前記フィルター材は更にフィルター材置換可能マスクに含まれており、且つ前記固定蓋と前記挟み面の間に置かれていることを特徴とする、請求項1に記載のフィルター材置換可能マスク。
【請求項１１】
前記マスク板と前記固定蓋は其々プラスチック、シリコーン、ゴム或いは複合材料或いは異なる材料の組合せから一個のパーツとして製造されることを特徴とする、請求項1に記載のフィルター材置換可能マスク。
【請求項１２】
前記前側面は前記挟み面の範囲外で少なくとも一つの一方方向呼気を備えた通気性通路を形成しており、前記通気性通路は前記呼吸スペースと繋がっており、しかも一部のその第二面透け孔はその第一面透け孔に繋がっており、前記呼吸スペースの吸気口を形成し、他の一部分のその第二面透け孔は前記通気性通路と繋がっており、前記呼吸スペースの排気孔を形成していることを特徴とする、請求項1に記載のフィルター材置換可能マスク。
【考案の詳細な説明】
【技術分野】
【０００１】
本考案は一種のマスクに関するものであり；特に、本考案は一種のフィルター材交換可能マスクである。
【背景技術】
【０００２】
従来のマスクは撥水層不織布、フィルター材及び肌にやさしい不織布の三層構造を含んでおり、マスクの製造では、マスク製造機が撥水層不織布、フィルター材、肌にやさしい不織布の三層構造と耳掛け及びノーズワイヤーを一緒に貼り付け、製造過程が煩雑且つ多段階であり、若し急にマスクの大量製造が必要な場面に直面したとき、マスク製造の困難点の一つは即ちマスク製造機の数量が限定されている事である。その他、従来のマスクは一回の使用で全ての材料を捨てるので、資源浪費だけでなく大量のゴミも生成されます。
【０００３】
その他、従来のマスクは使用上、其の内側表面は面部の口、鼻に貼りつき、従来のマスクを長時間着けていると口、鼻の呼吸熱気が容易にマスク内側表面を湿らせ、不快感を引き起こします。
【考案の概要】
【考案が解決しようとする課題】
【０００４】
本考案が若し一種のフィルター材交換可能マスクを提供することができれば、業界の実用性に貢献するでしょう。
【課題を解決するための手段】
【０００５】
従来のマスクの煩雑な製造工程を考慮して、急なマスクの大量製造が必要な状況ではマスク製造機の限定された数量に影響されるので、又従来のマスクは一度使用すると全て捨てることになり、資源の浪費だけでなく大量のゴミも生成されます。従って、本考案の目的の一つは一種のフィルター材置換可能マスクを提供し、保持構造の簡単操作により、使用者の使用済みフィルター材置換の便宜を図ります。
【０００６】
本考案のフィルター材置換可能マスクは：前側面と裏側面を備えたマスク板を含んでおり、前記裏側面は呼吸スペースを形成しており、前記前側面は挟み面を含み、 前記挟み面は複数個の第一面透け孔を形成し、その第一面透け孔は前記呼吸スペースと繋がっています；固定蓋は複数個の第二面透け孔を形成し；及び、保持構造は、前記マスク板と前記固定蓋の間を介して、前記固定蓋を前記マスク板の前記前側面に保持させ、前記マスク板の前記挟み面がフィルター材を挟めるように前記固定蓋を配置し、その第二面透け孔がその第一面透け孔を通じて前記マスク板の前記呼吸スペースに繋がるようにさせます。
【０００７】
本考案でマスクの一歩進んだ状態では、前記前側面は前記挟み面の範囲外で少なくとも一つの通気性通路を形成しており、前記通気性通路は前記呼吸スペースと繋がっており、前記通気性通路内は一方方向の呼気に制限されています。
【０００８】
本考案でマスクの一歩進んだ状態では、前記マスク板の前記裏側面はリングリムを備えており、前記リングリムは湾曲接触面を形成しており、前記湾曲接触面は面部の皮膚と接触するのに適しており、その中で前記リングリムは上側面縁、前記上側面縁と相対した下側面縁、左側面縁と前記左側面縁と相対した右側面縁を含み、 前記上側面縁の輪郭は前記面部の鼻梁箇所に適しており、 前記下側面縁は曲線輪郭を形成し前記面部の顎箇所に適しています；しかも前記左、右側面縁は其々外部に向かってイヤーピースを伸ばしており、イヤーピース毎に少なくとも一つの通し孔が開設されており、前記通し孔はワイヤーと結合するのに使用されます。
【０００９】
本考案でマスクの一歩進んだ状態では、前記保持構造は前記挟み面に隣接しており、しかも第一環状側壁と第二環状側壁を含み、前記第一環状側壁は前記挟み面を囲い、前記第二環状側壁は前記固定蓋の周囲を囲っており、前記第一環状側壁と前記第二環状側壁は干渉タイトフィット方式或いは磁気吸着法により前記固定蓋を前記マスク板の前記前側面に保持させ、その中で前記第一環状側壁と前記第二環状側壁の間では接触面或いはフランジ構造或いは組合構造或いはスナップ構造により前記干渉タイトフィット方式を実現させている；前記前側面は前記挟み面の範囲外で少なくとも一つの通気性通路を形成し、前記通気性通路は前記呼吸スペースと繋がっており、前記通気性通路は一方方向呼気バルブを覆い、前記一方方向呼気バルブは前記呼吸スペースが外部へ一方方向排気するのを維持している。
【００１０】
本考案のマスクは一度使用しただけで捨てる必要のない効能を提供する重複使用可能なマスク板であり、フィルター材及び/或いは撥水層不織布を取り換える必要があるだけなので製造のゴミを減少でき、前記マスク板は洗うことができ、プラスチック、シリコーン、ゴム或いは複合材料或いは異なる材料の組合せから射出成形を利用して拭き取り可能速乾性機能を製作し、顔面に良好な適応性を提供するので、マスクを着けているときは快適に感じます。フィルター材置換よる気体濾過のレベルを通して、本考案マスクを一般用途の防塵マスクとして使用、或いは本考案マスクを医療用マスクとしてレベルアップ使用できます。その他、マスク板は異なる色彩設計も出来るので、本考案マスクをファッショナブルなウェアにすることができます。
【図面の簡単な説明】
【００１１】
【図１】本考案第1実施例によるマスクの立体図である。
【図２】本考案第1実施例によるマスクの正面図である。
【図３】本考案第1実施例によるマスクの上面図である。
【図４】本考案第1実施例によるマスクの側面図である。
【図５】本考案の図２に示された断面線Ａ−Ａの断面図である。
【図６】本考案第1実施例によるマスクの分解図である。
【図７】本考案第2実施例によるマスクの分解図である。
【図８】本考案第3実施例によるマスクの分解図である。
【考案を実施するための形態】
【００１２】
図1を参照すると、本考案の第1実施例によるマスクの立体図であることが分かります。本考案第1実施例では、本考案マスクはマスク板10と固定蓋20が相互に組み合わされており、その内前記固定蓋20は前記マスク板10の前側面11に固定して組立てられており、前記固定蓋20は前記前側面11の、図６の示す通り複数個の第一面透け孔13を設けられた挟み面12に向かって蓋をされている。前記マスク板10は使用者の面部に装着するのに適しており、前記面部の口、鼻を覆い、口、鼻の呼吸スペースを形成します。前記マスク板10と前記固定蓋20は其々プラスチック、シリコーン、ゴム或いは複合材料或いは異なる材料の組合せから一個のパーツとしてより良く製造され、前記マスク板10の前記前側面11に相対した裏側面19（図５の示す通り）の呼吸スペースの中では従来マスクのように内側表面が面部の口、鼻に貼りついたりすることがないので、面部の口、鼻の周囲が呼吸熱気により湿ったりすることが起きるのを避けることができます。
【００１３】
この第1実施例では、前記固定蓋20は複数個の第二面透け孔21を形成し、その第二面透け孔21は前記マスク板10の呼吸スペースを通ることができます。しかも一部のその第二面透け孔21は前記挟み面12のその第一面透け孔13に照準されて前記呼吸スペースの吸気口を形成し、その他の一部分のその第二面透け孔21は前記呼吸スペースの排気口を形成します。
【００１４】
前記マスク板10はリングリム15を備えております。前記マスク板10が使用者面部に装着されたとき、前記リングリム15は前記面部皮膚に貼りついて口、鼻の呼吸スペースを形成します。前記リングリム15の左側面縁153と右側面縁154は其々外部に向かってイヤーピース16が伸びており、イヤーピース16毎に少なくとも一つの通し孔17が開設されており、前記通し孔17はワイヤー18に結合されるのに使用されます。前記ワイヤー18はより良い弾性ワイヤーであり、前記ワイヤー18は前記使用者の耳に装着するのに適しており、前記マスク板10が前記面部の口、鼻を覆うよう保持させます。
【００１５】
図２から図４を参照すると、其々本考案の第1実施例によるマスクの正面図、上面図及び側面図であることが分かります。本考案の第一実施例では、本考案マスクは更に保持構造を含み、前記保持構造は固定蓋20が前記マスク板10の前側面11の予定設置位置に保持するよう固定されます、前記保持構造は後に図６を使用してより詳細に説明します。本考案マスクのマスク板10はリングリム15を備えており、その中で前記リングリム15は上側面縁151、前記上側面縁151と相対した下側面縁152、左側面縁153と前記左側面縁153と相対した右側面縁154を含んでいます。図2の通り、前記上側面縁151の輪郭は前記面部の鼻梁箇所に適しており、 前記下側面縁152は曲線輪郭を形成し前記面部の顎箇所に適しており、しかも前記左、右側面縁153、154は其々外部に向かってイヤーピース16を伸ばしており、イヤーピース16毎に少なくとも一つの通し孔17が開設されており、前記通し孔17はワイヤー18と結合するのに使用されます。
【００１６】
図５を参照すると、図２に示された断面線Ａ−Ａの断面図であることが分かります。図５参照からはっきり分かる通り、本考案マスクのマスク板10は前側面11と裏側面19を備えており、前記前側面11と前記裏側面19隣接の縁はリングリム15を形成しております。本考案マスクを心地よく面部上に装着するため、前記マスク板10はプラスチック、シリコーン、ゴム或いは複合材料或いは異なる材料の組合せから一個のパーツとして製造され前記リングリム15と湾曲接触面を形成しており、前記湾曲接触面は前記面部の皮膚に接触するのに適しており、本考案マスクの装着時間を延長できます。その他、固定蓋20は前記マスク板10の前側面11の予定設置位置に固定して組立てられており、ワンピースのフィルター材40を前記固定蓋20と前記前側面11の間に挟ませています。フィルター材40置換よる気体濾過のレベルを通して、本考案マスクを一般用途の防塵マスクとして使用、或いは本考案マスクを医療用マスクとしてレベルアップ使用できます。
【００１７】
図５と図６を合わせて参照すると、前記図６は本考案の第1実施例によるマスクの分解図であることが分かります。本考案の第1実施例では、本考案マスク10の前側面11は挟み面12を含んでおり、前記挟み面12は複数個の第一面透け孔13を設けています。前記固定蓋20が前記マスク板10に固定して組立てられるとき、前記固定蓋20は前記前側面11の前記挟み面12を覆い、ワンピースのフィルター材40を前記固定蓋20と前記挟み面12の間に挟ませます。前記固定蓋20の複数個の第二面透け孔21の一部分は前記挟み面12のその第一面透け孔13に照準されており、前記呼吸スペースの吸気口を形成し、前記吸気口を通った気体は前記フィルター材40を通り前記呼吸スペースに入ります。
【００１８】
本考案のこの実施例では、本考案マスク板10の前記前側面11は前記挟み面12の範囲外で少なくとも一つの通気性通路14を形成しており、前記通気性通路14は前記呼吸スペースと繋がっており通路内は一方方向呼気に制限されている。前記通気性通路14は一方方向呼気バルブ41を覆い、前記一方方向呼気バルブ41は前記呼吸スペースの外部への一方方向排気を維持している。前記固定蓋20の複数個の第二面透け孔21の他の一部分は前記通気性通路14に照準されており、前記呼吸スペースの大部分の排気孔を形成している。特別に説明すると、使用者が前記呼吸スペースで呼気したとき、多少の呼気は前記挟み面12の前記第一面透け孔13を経由して排気されます。本考案の違う実施例では、本考案マスク板10には通気性通路14は実施されておらず、前記呼吸スペースの吸気口と排気口はその第一面透け孔13とその第二面透け孔21から成る。
【００１９】
続けて図６を参照すると、本考案マスクは更に保持構造を含み、前記固定蓋20が前記マスク板10の前記前側面11の前記挟み面12に固定保持されるのに使用されます。本考案の第1実施例では、前記保持構造は前記挟み面12に隣接し、前記保持構造は第一環状側壁31と第二環状側壁32を含み、前記第一環状側壁31は前記前側面11の前記挟み面12と前記通気性通路14を囲っており、前記第二環状側壁32は前記固定蓋20の周囲を囲っており、前記第一環状側壁31と前記第二環状側壁32は干渉タイトフィット方式により前記固定蓋20を前記マスク板10の前記前側面11が形成している前記第一環状側壁31内に固定させます。本考案のこの実施例では、前記第二環状側壁32の反対側面には其々スナップ部分33と複数個の凸の塊34が形成されており、且つ第一環状側壁31の反対側面に其々前記スナップ部分33と相方であるその前記凸の塊34の凹溝を形成している、保持構造の干渉タイトフィット方式も含みます。本考案の違う実施例では、保持構造の干渉タイトフィット方式は前記第一環状側壁31と前記第二環状側壁32の間の接触面或いはフランジ構造或いは組合構造或いはスナップ構造により実現される。その他、前記保持構造は干渉タイトフィット方式を磁気吸着法に置き換えて前記固定蓋20を固定することもあります。
【００２０】
図7を参照すると、本考案の第2実施例によるマスクの分解図であることが分かります。本考案の第2実施例では、本考案マスクはマスク板10と四角形固定蓋20が相互に組み合わされており、その内前記四角形固定蓋20は前記マスク板10の前側面11に固定して組み合わされている。前記マスク板10は使用者の面部に装着するのに適しており、前記面部の口、鼻を覆い、口、鼻の呼吸スペースを形成している。前記マスク板10と前記四角形固定蓋20は其々プラスチック、シリコーン、ゴム或いは複合材料或いは異なる材料の組合せから一個のパーツとしてより良く製造され、前記マスク板10の前記前側面11に相対した裏側面19の呼吸スペースの中では従来マスクのように内側表面が面部の口、鼻に良く貼りついたりすることがないので、面部の口、鼻の周囲が呼吸熱気により湿ったりすることが起きるのを避けることができます。
【００２１】
本考案のマスク板10の前側面11は四角形挟み面12を含み、前記四角形挟み面12は複数個の第一面透け孔13を設けている。前記四角形固定蓋20が前記マスク板10に固定して組み合わされたとき、前記四角形固定蓋20は前記前側面11の前記四角形挟み面12を覆い、四角形シートのフィルター材40を前記四角形固定蓋20と前記四角形挟み面12の間に挟みさせます。前記四角形固定蓋20の複数個の第二面透け孔21の少なくとも一部分は前記四角形挟み面12のその第一面透け孔13に照準され、前記呼吸スペースの吸気口を形成し、前記吸気口を通った気体は前記フィルター材40を通して前記呼吸スペースに進入します。
【００２２】
その他、本考案の第2実施例では、本考案マスク板10の前記前側面11は前記四角形挟み面12の範囲外で少なくとも一つの通気性通路14を形成しており、前記通気性通路14は前記呼吸スペースと繋がっており通路内は一方方向呼気に制限され、一方方向呼気バルブが前記通気性通路14内に組み込まれており、前記一方方向呼気バルブは前記呼吸スペースの外部への一方方向排気を維持している。本考案マスクは更に保持構造を含み、前記四角形固定蓋20が前記マスク板10の前記前側面11の前記四角形挟み面12に固定保持されるよう使用されます。前記保持構造は前記四角形挟み面12に隣接し、前記保持構造は第一環状側壁31と第二環状側壁32を含み、前記第一環状側壁31は前記四角形挟み面12のその第一面透け孔13を囲い、前記第二環状側壁32は前記四角形固定蓋20の周囲を囲い、前記第一環状側壁31と前記第二環状側壁32は干渉タイトフィット方式により前記四角形固定蓋20を前記マスク板10の前記前側面11が形成している前記第一環状側壁31内に固定させます。前記第二環状側壁32の反対側面には其々スナップ部分33と複数個の凸の塊34が形成されており、且つ前記第一環状側壁31の反対側面に其々前記スナップ部分33と相方であるその凸の塊34の凹溝を形成している、保持構造の干渉タイトフィット方式も含みます。その他、前記保持構造は干渉タイトフィット方式を磁気吸着法に置き換えて前記固定蓋20を固定することもあります。
【００２３】
図８を参照すると、本考案の第3実施例によるマスクの分解図であることが分かります。本考案の第3実施例では、本考案マスクはマスク板10、固定蓋20とキャップ30が相互に組み合わされており、その内前記固定蓋20は円形リングとなっており、前記マスク板10の前側面11に固定して組み合わされている。前記マスク板10は使用者の面部に装着するのに適しており、前記面部の口、鼻を覆い、口、鼻の呼吸スペースを形成している。前記マスク板10、前記円形リング固定蓋20と前記キャップ30は其々プラスチック、シリコーン、ゴム或いは複合材料或いは異なる材料の組合せから一個のパーツとしてより良く製造され、前記マスク板10の前記前側面11に相対した裏側面19の呼吸スペースの中では従来マスクのように内側表面が面部の口、鼻に貼りついたりすることがないので、面部の口、鼻の周囲が呼吸熱気により湿ったりすることが起きるのを避けることができます。
【００２４】
本考案マスク板10の前側面11は円形リング挟み面12を含み、前記円形リング挟み面12は複数個の第一面透け孔13を設けている。前記円形リング固定蓋20が前記マスク板10に固定して組み合わされたとき、前記円形リング固定蓋20は前記前側面11の前記円形リング挟み面12を覆い、円形リングピースのフィルター材40を前記円形リング固定蓋20と前記円形リング挟み面12の間に挟ませます。前記円形リング固定蓋20の複数個の第二面透け孔21の少なくとも一部分は前記挟み面12のその第一面透け孔13に照準され、前記呼吸スペースの吸気口を形成し、前記吸気口を通った気体は前記フィルター材40を通して前記呼吸スペースに進入します。
【００２５】
その他、本考案の第3実施例では、本考案マスク板10の前記前側面11は前記円形リング挟み面12の範囲外（即ち円形リング中央部）で少なくとも一つの通気性通路14を形成しており、前記通気性通路14は前記呼吸スペースを通り通路内は一方方向呼気に制限されている。一方方向呼気バルブ41が前記通気性通路14内に組み込まれており、前記一方方向呼気バルブ41は前記呼吸スペースの外部への一方方向排気を維持しており、前記キャップ30は前記一方方向呼気バルブ41を覆い、使用者がバイクに乗っているとき、風圧が大きすぎて前記一方方向呼気バルブ41が開けにくくなることを防ぎます。本考案マスクは更に保持構造を含み、前記円形リング固定蓋20が前記マスク板10の前記前側面11の前記円形リング挟み面12に固定保持されるよう使用されます。
【００２６】
前記保持構造は前記円形リング挟み面12に隣接し、前記保持構造は第一環状側壁31と第二環状側壁32を含み、前記マスク板10の前記前側面11は内側外側に前記円形リング挟み面12のその第一面透け孔13を囲う第一環状側壁31を形成しており、前記円形リング固定蓋20は内側外側に前記円形リング固定蓋20のその第二面透け孔21を囲う第二環状側壁32を形成しています。前記第一環状側壁31と前記第二環状側壁32の内側外側は干渉タイトフィット方式により前記円形リング固定蓋20を前記マスク板10の前記前側面11の前記円形リング挟み面12に保持させている。前記第一環状側壁31外周の反対側面には其々複数個の凸の塊34が形成されており、且つ前記第二環状側壁32外周の反対側面には相方として其々複数個のその凸の塊34の凹溝が形成されている、保持構造の干渉タイトフィット方式も含んでいる。その他、前記保持構造は干渉タイトフィット方式を磁気吸着法に置き換えて前記円形リング固定蓋20を固定することもあります。
【符号の説明】
【００２７】
１０    マスク板
１１    前側面
１２    挟み面
１３    第一面透け孔
１４    通気性通路
１５    リングリム
１５１  上側面縁
１５２  下側面縁
１５３  左側面縁
１５４  右側面縁
１６    イヤーピース
１７    通し孔
１８    ワイヤー
１９    裏側面
２０    固定蓋
２１    第二面透け孔
３０    キャップ
３１    第一環状側壁
３２    第二環状側壁
３３    スナップ部
３４    凸の塊
４０    フィルター材
４１    一方方向の呼気バルブ
Ａ−Ａ  断面線
【図１】
0003232648.tif 000003
【図２】
0003232648.tif 000004
【図３】
0003232648.tif 000005
【図４】
0003232648.tif 000006
【図５】
0003232648.tif 000007
【図６】
0003232648.tif 000008
【図７】
0003232648.tif 000009
【図８】
0003232648.tif 000010